(57)【要約】【課題】短時間での暗号化を可能にし、暗号化されたデータの類推、比較を困難にする。【解決手段】原本データの全データを暗号化せずに、ヘッダ情報を含むデータの一部を抜き出し、抜き出したデータを公開鍵を用いて暗号化する。また、暗号化するデータを抜き出した場所は、後続アドレスのデータを平文のまま詰めていく。抜き出されて暗号化されたデータは、アドレスの昇順から順番にひとまとめにして原本データ中の任意の場所に挿入する。最後に、ひとまとめにした暗号化データがデータ中のどこに挿入されているかの情報、暗号化サイズ情報、暗号化された（抜き出された）データの数を含むインデックス情報をデータの先頭に挿入する。また、インデックス情報も抜き出されたデータ同様、公開鍵を用いて暗号化する。【選択図】図３
2008294770.tif 000002
【特許請求の範囲】
【請求項１】
暗号化の対象となる原本データから、ヘッダ情報と少なくとも１バイトのデータとを含むデータを抜き出すデータ抽出部と、
抜き出されたデータを暗号化する暗号化部と、
前記暗号化されたデータを前記原本データに挿入する暗号化データ挿入部と
を具備する
暗号化装置。
【請求項２】
請求項１に記載の暗号化装置であって、
前記データ抽出部は、前記原本データから、前記ヘッダ情報と後続データの一部とを含む任意のサイズのデータ（対象データ）を抜き出し、
前記暗号化部は、前記対象データを所定の暗号化サイズ分ずつ暗号化し、
前記暗号化データ挿入部は、前記暗号化されたデータをひとまとめにして前記原本データ中の任意の場所に挿入する
暗号化装置。
【請求項３】
請求項２に記載の暗号化装置であって、
前記原本データ中の前記対象データを抜き出した場所を残りのデータで平文のまま詰めるデータ整列部と、
前記原本データ中における前記暗号化されたデータの所在情報、及び、暗号化サイズを示す情報を作成するインデックス情報作成部と
を更に具備する
暗号化装置。
【請求項４】
請求項３に記載の暗号化装置であって、
前記インデックス情報作成部は、前記原本データ中における前記暗号化されたデータの所在情報、暗号化サイズ、及び、前記暗号化されたデータの数を示す情報に基づいてインデックス情報を作成し、
前記暗号化部は、インデックス情報を暗号化し、
前記暗号化データ挿入部は、暗号化されたインデックス情報を前記原本データに挿入する
暗号化装置。
【請求項５】
請求項１に記載の暗号化装置であって、
前記暗号化データ挿入部は、前記暗号化されたデータを、前期抜き出された位置とは異なる位置に挿入する
暗号化装置。
【請求項６】
原本データ中における暗号化されたデータの所在情報と暗号化サイズを示す情報とを取得するデータ分析部と、
前記原本データ中における前記暗号化されたデータの所在情報、及び、暗号化サイズを示す情報に基づいて前記暗号化されたデータを復号化する復号化部と、
復号化されたデータを前記原本データに挿入する復号化データ挿入部と
を具備する
復号化装置。
【請求項７】
請求項６に記載の復号化装置であって、
前記データ分析部は、更に、前記暗号化されたデータの数を示す情報を取得し、
前記復号化部は、前記暗号化されたデータの数に応じた回数、所定の暗号化サイズ分ずつ、前記暗号化されたデータを復号化し、
前記復号化データ挿入部は、次のヘッダ情報までのサイズ情報を取得し、前記原本データの先頭からサイズ情報が示すサイズ分を加えた場所に、復号化されたデータを挿入する
復号化装置。
【請求項８】
ソフトウェア処理によりデータを暗号化する暗号化方法であって、
暗号化の対象となる原本データから、ヘッダ情報と少なくとも１バイトのデータとを含むデータを抜き出すステップと、
抜き出されたデータを暗号化するステップと、
前記暗号化されたデータを前記原本データに挿入するステップと
を具備する
暗号化方法。
【請求項９】
請求項８に記載の暗号化方法であって、
前記原本データから、前記ヘッダ情報と後続データの一部とを含む任意のサイズのデータ（対象データ）を抜き出すステップと、
前記対象データを所定の暗号化サイズ分ずつ暗号化するステップと、
前記暗号化されたデータをひとまとめにして前記原本データ中の任意の場所に挿入するステップと
を更に具備する
暗号化方法。
【請求項１０】
請求項８又は９に記載の暗号化方法であって、
前記原本データ中の前記対象データを抜き出した場所を残りのデータで平文のまま詰めるステップと、
前記原本データ中における前記暗号化されたデータの所在情報、及び、暗号化サイズを示す情報を作成するステップと
を更に具備する
暗号化方法。
【請求項１１】
請求項１０に記載の暗号化方法であって、
前記原本データ中における前記暗号化されたデータの所在情報、暗号化サイズ、及び、前記暗号化されたデータの数を示す情報に基づいてインデックス情報を作成するステップと、
インデックス情報を前記原本データに挿入するステップと
を更に具備する
暗号化方法。
【請求項１２】
暗号化されたデータをソフトウェア処理により復号化する復号化方法であって、
原本データ中における前記暗号化されたデータの所在情報と、暗号化サイズを示す情報とを取得するステップと、
前記原本データ中における前記暗号化されたデータの所在情報、及び、暗号化サイズを示す情報に基づいて前記暗号化されたデータを復号化するステップと、
復号化されたデータを前記原本データに挿入するステップと
を具備する
復号化方法。
【請求項１３】
請求項１２に記載の復号化方法であって、
前記暗号化されたデータの数を示す情報を取得するステップと、
前記暗号化されたデータの数に応じた回数、所定の暗号化サイズ分ずつ、前記暗号化されたデータを復号化するステップと、
次のヘッダ情報までのサイズ情報を取得し、前記原本データの先頭からサイズ情報が示すサイズ分を加えた場所に、復号化されたデータを挿入するステップと
を更に具備する
復号化方法。
【発明の詳細な説明】
【技術分野】
【０００１】
本発明は、暗号化装置に関し、特にデータ内にヘッダ情報が存在するデータの暗号化を行う暗号化装置に関する。
【背景技術】
【０００２】
データを暗号化する際、専用のハードウェアを用いて暗号化を行うなどの施策が講じられている場合がある。しかし、ハードウェア依存では、設計や変更の点で融通が利かないため、ソフトウェアによる暗号化が望ましい。
【０００３】
しかしながら、ソフトウェア処理によりデータを暗号化する場合、暗号化するデータの量に応じて処理負荷が大きくなり、処理が完了するまでに掛かる時間が長くなる傾向にある。特に、オーディオデータのように、ヘッダ部分に比べ、ヘッダ部分以外のサイズが大きいデータほど、その傾向が顕著に現れる。
【０００４】
従って、ソフトウェア処理による暗号化処理は、このような処理負荷を軽減させるため、データ全体ではなくデータの一部を暗号化する方法が望ましいが、その反面、高いセキュリティ強度を有し、十分な秘匿性を確保した方法であることが重要である。
【０００５】
なお、データの一部を暗号化する方法に関連する公知技術として、特開２００１−０３６８６２号公報（特許文献１）に画像改竄判別機能付き画像記録システム及び画像記録方法が開示されている。
この公知技術は、ヘッダ部分以外の画像データ部分の一部を暗号化し、暗号化したデータをヘッダ部分に付加するといった暗号化手法に関する。具体的には、当該画像記録システムに割り当てられた所定の固有環境番号及び乱数を元に生成した所定の秘密鍵データを予め内部に保有しておく。そして、図１に示すように、所望のディジタル画像（３０Ａ〜３０Ｄ）中に分散されたいくつかの画素データ（３０Ａａ〜３０Ｄａ）を数値として取り出して当該数値の合計値（チェック値、以下「チェックサム」と称す）を求め、このチェックサム（３１Ａ〜３１Ｄ）を秘密鍵データで暗号化して固定長の暗号データ（３３Ａ〜３３Ｄ）を生成した後、この暗号データをディジタル画像のヘッダ部（３０Ａｂ〜３０Ｄｂ）に格納してから記録する。これにより、原画像を用意しなくてもディジタル画像の改竄の事実を事後的に容易に判断できるようにしている。
【０００６】
公知技術では、画像データ中に分散された画素データから得られたチェックサムを秘密鍵で暗号化した暗号化データをそれぞれのデータのヘッダ中の所定の位置に格納するため、コーディングされている固定文字列からヘッダ部を識別されてしまうと、各々のヘッダ部から所定の位置に配置された暗号化データを特定され、暗号化データひいては秘密鍵を解読されてしまうというセキュリティ上の問題がある。
【０００７】
【特許文献１】特開２００１−０３６８６２号公報
【発明の開示】
【発明が解決しようとする課題】
【０００８】
上述の通り、従来技術においては、処理単位となるデータに含まれる複数のヘッダ部分同士の比較により暗号化データや秘密鍵を解読されてしまう危険性がある。
【課題を解決するための手段】
【０００９】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１０】
本発明に係る暗号化装置（１０）は、暗号化の対象となる原本データから、ヘッダ情報と少なくとも１バイトのデータとを含むデータを抜き出すデータ抽出部（１１）と、抜き出されたデータを暗号化する暗号化部（１２）と、暗号化されたデータを原本データに挿入する暗号化データ挿入部（１４）とを具備する。
【００１１】
次に、本発明により課題が解決されるメカニズムを示す。
本発明では、暗号化したデータの各々を従来技術のようにヘッダ部に挿入することなく、データ全てをひとまとめにして処理単位となるデータ内に配置する。暗号化されたデータ同士を比較するためには、ひとまとめにしたデータを暗号化されたデータ単位に分解する必要があるが、暗号化されたデータ自体がひとまとめにされているため、暗号化したデータ単位に分解することは非常に困難である。従って、暗号化されたデータ同士を比較することはできない。
【発明の効果】
【００１２】
暗号化対象は原本データの一部（ヘッダ情報を含むデータ）であるため、全データを暗号化する場合に比べ短時間で暗号化することができる。また、ヘッダ情報に他のデータを加えて暗号化し、暗号化されたデータを原本データ中の任意の場所に挿入することで、暗号化されたデータのヘッダ部分を類推することや、暗号化されたデータ同士を比較することを困難にする。
【発明を実施するための最良の形態】
【００１３】
以下に、本発明の実施例について添付図面を参照して説明する。
図２に示すように、本発明に係る暗号化装置１０は、データ抽出部１１と、暗号化部１２と、データ整列部１３と、暗号化データ挿入部１４と、インデックス情報作成部１５を備える。
【００１４】
暗号化装置１０は、フレーム毎にヘッダ情報を持つビデオ／オーディオデータなど、データ中に複数のヘッダ情報を持つデータの暗号化を行う。但し、ヘッダ情報内に次のヘッダ情報までのサイズ情報を含むデータである必要がある。これは復号化の際に必要となる情報である。
【００１５】
データ抽出部１１は、暗号化対象となる原本データの中から、ヘッダ情報を含むデータを抜き出す。原本データは、暗号化される前の元のデータやファイルである。暗号化部１２は、抜き出されたデータを暗号化する。データ整列部１３は、データが抜き出された場所を詰めて、原本データを整列する。暗号化データ挿入部１４は、暗号化されたデータを、原本データ中の任意の場所に挿入する。インデックス情報作成部１５は、暗号化されたデータに関するインデックス情報を作成する。
【００１６】
なお、暗号化装置１０は、本発明における暗号化手法を実行するためのソフトウェアを搭載したコンピュータであることが好適である。一般的に、コンピュータは、ソフトウェアを格納するための記憶装置（メモリ等）と、ソフトウェアを処理するための処理装置（プロセッサ等）を備えている。この場合、データ抽出部１１、暗号化部１２、データ整列部１３、暗号化データ挿入部１４、インデックス情報作成部１５の各々は、このソフトウェアに含まれるプログラムである。或いは、該プログラムを実行する処理装置でも良い。ソフトウェアにより暗号化を行う場合は、ハードウェアに依存せず、特別なハードウェアを搭載する必要がない。
【００１７】
次に、暗号化対象となるデータ、及び暗号化方式について、以下に示す。但し、以下に示すものは一例であり、実際には、本発明はデータフォーマット、及び暗号化方式を限定しない。
【００１８】
ここでは、データフォーマットとして、ＡＡＣ（ＡＤＴＳ）フォーマットで符号化されたオーディオファイルを用いる。また、暗号化方式として、公開鍵方式を用いる。ＡＡＣ（Ａｄｖａｎｃｅｄ  Ａｕｄｉｏ  Ｃｏｄｉｎｇ）とは、映像圧縮規格ＭＰＥＧ−２又はＭＰＥＧ−４で使われる音声圧縮方式である。なお、放送ではＡＤＴＳ（Ａｕｄｉｏ  Ｄａｔａ  Ｔｒａｎｓｐｏｒｔ  Ｓｔｒｅａｍ）と呼ばれるヘッダ形式で伝送されることが多い。
【００１９】
ＡＡＣ（ＡＤＴＳ）フォーマットは、フレーム毎に”０ｘＦＦＦ”から始まるヘッダ情報を持っている。加えて、ヘッダ情報内に次のヘッダ情報までのサイズ情報を含んでいる。この条件は本発明に好適である。
【００２０】
次に、図３を参照して、本発明における暗号化手法について説明する。
本発明では、全データを暗号化せずに、データの一部（ヘッダ情報を含む）を抜き出し、抜き出したデータを暗号化する。
【００２１】
（１）ステップＳ１０１
データ抽出部１１は、暗号化対象となるデータの中から、ヘッダ情報を含むデータの一部を抜き出す。ＡＡＣ（ＡＤＴＳ）フォーマットのデータは、フレームの先頭に”０ｘＦＦＦ”から始まるヘッダ情報が７［ｂｙｔｅ］付加されている。従って、ヘッダ情報（７［ｂｙｔｅ］）＋ｎ［ｂｙｔｅ］（但し、「ｎ≧１」）を抜き出して暗号化することになる。
【００２２】
図４に、ヘッダ情報を抜き出して暗号化する際のイメージを示す。
図４は、「ｎ＝３」とした場合、つまり、ヘッダ情報と合わせると１０［ｂｙｔｅ］のデータを抜き出す場所（暗号化を行うデータ領域）を示したものである。
図４の枠で囲まれている部分が、データを抜き出す場所（暗号化を行うデータ領域）である。
【００２３】
（２）ステップＳ１０２
暗号化部１２は、抜き出されたデータを公開鍵を用いて暗号化する。
【００２４】
（３）ステップＳ１０３
暗号化を行うデータ領域（図４の枠で囲まれている部分）を抜き出すと、その場所が空白となり、データが歯抜けになってしまうので、データ整列部１３は、暗号化を行うデータ領域の後続アドレスのデータを平文のまま詰めていく。
【００２５】
図５Ａ，図５Ｂに、暗号化を行うデータ領域の後続アドレスのデータを平文のまま詰めていく際のイメージを示す。
図５Ａは、暗号化するデータを抜き出す前の状態を示す図である。図４と同じく、枠で囲まれている部分が、データを抜き出す場所（暗号化を行うデータ領域）である。図５Ｂは、暗号化するデータを抜き出して、その後続アドレスを詰めた状態を示す図である。
【００２６】
（４）ステップＳ１０４
暗号化データ挿入部１４は、暗号化されたデータを、アドレスの昇順から順番にひとまとめにして原本データ中の任意の場所に挿入する。
【００２７】
図６に、暗号化したデータを書き込む場所のイメージを示す。
図６は、データの末尾に挿入した場合の例である。図６の枠で囲まれている部分に、ひとまとめにした暗号化データを挿入する。
【００２８】
（５）ステップＳ１０５
インデックス情報作成部１５は、ひとまとめにされた暗号化データがデータ中のどこに挿入されているかの情報、暗号化サイズ（ヘッダ情報＋ｎ［ｂｙｔｅ］）情報、暗号化された（抜き出された）データの数を含むインデックス情報を作成する。
【００２９】
図７に、インデックス情報の構成例を示す。
以下の（Ａ）〜（Ｃ）に示す情報がインデックス情報である。
（Ａ）ひとまとめにされた暗号化データの先頭位置
これは、データの先頭からのバイト数を表す。
（Ｂ）暗号化サイズ
これは、ヘッダ情報の含めたバイト数を表す。
（Ｃ）暗号化された数
これは、暗号化されたデータ全ての合計サイズを暗号化サイズで割ったサイズを表す。
ここでは、インデックス情報（Ａ），（Ｂ），（Ｃ）は、いずれも４［ｂｙｔｅ］のデータである。但し、実際には、上記の例に限定されない。
【００３０】
（６）ステップＳ１０６
暗号化部１２は、抜き出されたデータと同様に、インデックス情報を公開鍵を用いて暗号化する。
【００３１】
（７）ステップＳ１０７
暗号化データ挿入部１４は、暗号化されたインデックス情報をデータの先頭に挿入する。
【００３２】
図８に、暗号化が行われた後の最終的なデータの構成例を示す。
ここでは、図１に示す従来技術と対比するために、原本データが「ディジタル画像」である場合を例にして説明する。
先に説明したように、図４、図５Ａの枠で囲まれている部分は、原本データから「ヘッダ情報」と「画像データの一部（ｎ［ｂｙｔｅ］）」とから構成され、これらが暗号化対象となるデータである。そして、これらをヘッダ数分（図８ではｍ組（ｍ≧１））抜き出して暗号化し、ひとまとめにした上で「画像データ」中に挿入する。本実施例では、一例として、図６に示すように、「画像データ」の末尾に、挿入している。その後、「画像データ」の先頭に、図７に示すような「インデックス情報」を挿入する。本実施例では、「インデックス情報」も暗号化した上で「画像データ」の先頭に挿入している。
【００３３】
ここでは、暗号化されたインデックス情報をデータの先頭に挿入しているが、必ずしも挿入しなくても良い。例えば、暗号化されたインデックス情報のみ先に復号化を行う装置に通知し、その後、暗号化されたデータが挿入された原本データを通知する場合が考えられる。この場合、互いを示す情報や共通の情報を用いて、暗号化されたインデックス情報と原本データを後で関連付けられるようにしておくことが好適である。
【００３４】
次に、本発明に係る暗号化装置により暗号化されたデータを復号化する復号化装置について説明する。
図９に示すように、本発明に係る復号化装置２０は、復号化部２１と、データ分析部２２と、復号化データ挿入部２３を備える。
【００３５】
復号化装置２０は、暗号化装置１０により暗号化されたデータを復号化する。ここでは、暗号化装置１０と同じく公開鍵方式を用いる。すなわち、公開鍵で暗号化されたデータを秘密鍵で復号化する。なお、復号化装置２０は、暗号化装置１０と同一の装置上に搭載されていても良い。
【００３６】
復号化部２１は、原本データ中の暗号化されたデータを復号化する。データ分析部２２は、復号化部２１で復号化されたデータの内容を分析する。復号化されたデータがインデックス情報であれば、復号化部２１に通知する。復号化されたデータがヘッダ情報を含むデータであれば、ヘッダ情報に含まれる次のヘッダ情報までのサイズ情報を取得して復号化データ挿入部２３に通知する。復号化データ挿入部２３は、次のヘッダ情報までのサイズ情報に基づき、復号化されたデータを、原本データ中の本来あるべき場所に挿入する。なお、復号化されたデータが最初のヘッダ情報を含んでいる場合は、原本データの先頭に挿入する。
【００３７】
なお、復号化装置２０は、本発明における復号化手法を実行するためのソフトウェアを搭載したコンピュータであることが好適である。一般的に、コンピュータは、ソフトウェアを格納するための記憶装置（メモリ等）と、ソフトウェアを処理するための処理装置（プロセッサ等）を備えている。この場合、復号化部２１、データ分析部２２、復号化データ挿入部２３の各々は、このソフトウェアに含まれるプログラムである。或いは、該プログラムを実行する処理装置でも良い。ソフトウェアにより復号化を行う場合は、ハードウェアに依存せず、特別なハードウェアを搭載する必要がない。
【００３８】
次に、図１０を参照して、本発明における復号化手法について説明する。
復号化手順は、暗号化の逆の手順で行う。
【００３９】
（１）ステップＳ２０１
まず、復号化部２１は、データの先頭に挿入されているインデックス情報を復号化する。ここでは、公開鍵方式が用いられているため、秘密鍵を用いての復号化を行う。
【００４０】
図７に示すように、暗号化されたインデックス情報を復号化すると、以下の（Ａ）〜（Ｃ）に示すインデックス情報が得られる。
（Ａ）ひとまとめにされた暗号化データの先頭位置
（Ｂ）暗号化サイズ
（Ｃ）暗号化された数
【００４１】
（２）ステップＳ２０２
データ分析部２２は、インデックス情報の内容を分析し、インデックス情報（Ａ）（Ｂ）（Ｃ）を取得する。
【００４２】
（３）ステップＳ２０３
復号化部２１は、インデックス情報（Ａ）のひとまとめにされた暗号化データの位置の情報に基づいて、暗号化されたデータに対してインデックス情報（Ｂ）の暗号化サイズ分の復号化を行う。
【００４３】
（４）ステップＳ２０４
復号化データ挿入部２３は、復号化されたデータ（ヘッダ情報＋ｎ［ｂｙｔｅ］）をデータの先頭に挿入する。このとき、データ分析部２２は、復号化されたデータを分析し、復号化されたデータ中のヘッダ情報に含まれる次のヘッダ情報までのサイズ情報を取得して復号化データ挿入部２３に通知する。復号化データ挿入部２３は、このサイズ情報を記憶しておく。なお、サイズ情報は、インデックス情報に含まれるようにしても良い。
【００４４】
（５）ステップＳ２０５
続いて、復号化部２１は、インデックス情報（Ｂ）の暗号化サイズ分の復号化を行う。
【００４５】
（６）ステップＳ２０６
復号化データ挿入部２３は、復号化されたデータを、データ先頭から先ほど記憶しておいたサイズ情報が示すサイズ分を加えた場所に挿入する。このとき、先ほどと同様に、データ分析部２２は、続いて復号化されたデータ中のヘッダ情報に含まれる次のヘッダ情報までのサイズ情報を取得して復号化データ挿入部２３に通知する。復号化データ挿入部２３は、このサイズ情報を記憶しておく。
【００４６】
（７）ステップＳ２０７
以上の処理を、インデックス情報（Ｃ）の回数繰り返すことにより復号化することができる。
【００４７】
以上のように、本発明では、原本データの全データを暗号化せずに、ヘッダ情報を含むデータの一部を抜き出し、抜き出したデータを公開鍵を用いて暗号化する。また、暗号化するデータを抜き出した場所は、後続アドレスのデータを平文のまま詰めていく。抜き出して暗号化したデータは、アドレスの昇順から順番にひとまとめにして原本データ中の任意の場所に挿入する。最後に、ひとまとめにした暗号化データが原本データ中のどこに挿入されているかの情報、暗号化サイズ情報、暗号化した（抜き出した）データの数を含むインデックス情報をデータの先頭に挿入する。また、インデックス情報もデータ同様、公開鍵を用いて暗号化することが好適である。
【図面の簡単な説明】
【００４８】
【図１】図１は、公知技術の構成を示した図である。
【図２】図２は、本発明に係る暗号化装置の構成を示したブロック図である。
【図３】図３は、本発明における暗号化手法を示したフローチャートである。
【図４】図４は、本発明において抜き出される（暗号化される）部分を示した図である。
【図５Ａ】図５Ａは、本発明においてデータが抜き出される（暗号化される）前の状態を示した図である。
【図５Ｂ】図５Ｂは、本発明においてデータが抜き出された（暗号化された）後の状態を示した図である。
【図６】図６は、本発明において抜き出された（暗号化された）部分をひとまとめにした部分の挿入位置を示した図である。
【図７】図７は、本発明において暗号化された部分を特定するためのインデックス情報を示した図である。
【図８】図８は、暗号化が行われた後の最終的なデータの構成例を示した図である。
【図９】図９は、本発明に係る復号化装置の構成を示したブロック図である。
【図１０】図１０は、本発明における復号化手法を示したフローチャートである。
【符号の説明】
【００４９】
１０…  暗号化装置
１１…  データ抽出部
１２…  暗号化部
１３…  データ整列部
１４…  暗号化データ挿入部
１５…  インデックス情報作成部
２０…  復号化装置
２１…  復号化部
２２…  データ分析部
２３…  復号化データ挿入部
【図１】
2008294770.tif 000003
【図２】
2008294770.tif 000004
【図３】
2008294770.tif 000005
【図４】
2008294770.tif 000006
【図５Ａ】
2008294770.tif 000007
【図５Ｂ】
2008294770.tif 000008
【図６】
2008294770.tif 000009
【図７】
2008294770.tif 000010
【図８】
2008294770.tif 000011
【図９】
2008294770.tif 000012
【図１０】
2008294770.tif 000013